(57)【要約】【課題】  従来の掃除用シートでは、シート取付台の底面を被覆するシート面が１枚のみであるので、塵埃の捕捉量が少なく、しかも一度シート面に塵埃が付着しても振動や衝撃によって剥落し易い。【解決手段】  掃除具のシート取付台５１の底面に装着して使用する掃除用シートにおいて、シート取付台５１の底面全面を被覆し得る大面積のベースシート１と、シート取付台５１の短辺長さより短い幅の短幅シート２とを有し、ベースシート１と短幅シート２とを、短幅シート２の短幅方向中央部の小幅範囲でのみ固着させていることにより、短幅シート２の短幅方向両片を非接着シート部（２１ａ，２２ａ）とすることができ、該非接着シート部とその上のシートとの間に塵埃を保持し得る微小隙間を形成している。【選択図】      図５
2005318908.tif 000002
【特許請求の範囲】
【請求項１】
掃除具（５０）の矩形板状のシート取付台（５１）の底面に取付けて使用する掃除用シートであって、
前記シート取付台（５１）の底面全面を被覆し得る大面積のベースシート（１）と、シート取付台（５１）の短辺長さ（Ｍ）より短い幅の短幅シート（２）とを有し、
前記ベースシート（１）と前記短幅シート（２）とを、短幅シート（２）の短幅方向中央部の小幅範囲（Ｙ）でのみ固着させている、
ことを特徴とする掃除用シート。
【請求項２】
請求項１において、
短幅シート（２）は、短幅方向の幅が異なる複数枚の異幅シート（２１，２２）を使用し、該各異幅シート（２１，２２）をベースシート（１）に対して幅の短い異幅シートが順次表面側になる状態で重合させている、
ことを特徴とする掃除用シート。
【請求項３】
請求項１又は２において、
ベースシート（１）と短幅シート（２）は、熱溶融又は高周波溶融する繊維製のものを使用し、該ベースシート（１）と短幅シート（２）とを熱又は高周波接着によって固着させている、
ことを特徴とする掃除用シート。
【請求項４】
請求項１から３のいずれか１項において、
短幅シート（２）は、ベースシート（１）の表裏各面にそれぞれ固着させている、
ことを特徴とする掃除用シート。
【発明の詳細な説明】
【技術分野】
【０００１】
本願発明は、手持ち式掃除具のシート取付台の底面に取付けて使用する掃除用シートに関するものである。
【背景技術】
【０００２】
この種の掃除用シートは、主として床面上の微小な塵埃を拭き取るのに使用されるが、従来から、シート面により多くの塵埃を捕捉するための各種の工夫が施されている。
【０００３】
例えば、特開平５−２５７６３号公報（特許文献１）や特開平５−５６９０２号公報（特許文献２）のようにシート払拭面に多数の凹凸加工（大凹凸部の中にさらに微小凹凸部がある）を施したもの、特開平１１−２７６４０１号公報（特許文献３）のように低密度で嵩高の不織布を使用したもの、特開２００１−３５３１１８号公報（特許文献４）のようにシート面に多数の開口を形成するとともに該開口部周囲に環状の突起を形成したもの、登録実用新案第３０９６９２８号公報（特許文献５）のようにシート面に多数のリブ片を切り起こしたもの、等がある。
【０００４】
【特許文献１】特開平５−２５７６３号公報
【０００５】
【特許文献２】特開平５−５６９０２号公報
【特許文献３】特開平１１−２７６４０１号公報
【特許文献４】特開２００１−３５３１１８号公報
【特許文献５】登録実用新案第３０９６９２８号公報
【発明の開示】
【発明が解決しようとする課題】
【０００６】
ところが、上記特許文献１及び２のものは、掃除用シートの払拭面に大小の凹凸加工を施しただけであるので、該払拭面の表面積は大きくなるものの、例えば重量がある粒状のゴミに対しては捕捉機能が弱く、しかも一度シート払拭面にゴミを付着させても該ゴミが脱落し易いという問題がある。
【０００７】
又、上記特許文献３のように、低密度で嵩高の不織布を使用したものでは、繊維間に微細な空間が多いので、微小なゴミやホコリは比較的多量に捕捉し得るものの、微小な範囲であっても比較的面積（又は体積）のあるゴミは捕捉できにくいという問題がある。
【０００８】
さらに、特許文献４（開口部周囲を環状突起にしたもの）、及び特許文献５（リブ片を切り起こしたもの）では、環状突起内やリブ片内にゴミの捕捉空間が形成されるので、一旦捕捉空間内に入ったゴミは脱落しにくいものの、該環状突起やリブ片の保形力は非常に弱いので、シート払拭面を床面に押付けると該環状突起やリブ片が簡単にへたってしまい（ゴミ捕捉空間が閉じる）、捕捉空間へのゴミ補集機能が早期になくなってしまうという問題がある。
【０００９】
本願発明は、上記した公知の掃除用シートの問題点を改善することを目的としてなされたもので、微小範囲の中で比較的大きなゴミでも確実に捕捉でき、且つ一旦捕捉したゴミが脱落しにくい構造の掃除用シートを提供することを目的としている。
【課題を解決するための手段】
【００１０】
本願発明は、上記課題を解決するための手段として次の構成を有している。
【００１１】
本願請求項１の発明
本願請求項１の発明は、掃除具のシート取付台（矩形板状）の底面に取付けて使用する掃除用シートを対象にしている。
【００１２】
そして、この請求項１の掃除用シートは、シート取付台の底面全面を被覆し得る大面積のベースシートとシート取付台の短辺長さより短い幅の短幅シートとを有し、該ベースシートと短幅シートとを短幅シートの短幅方向中央部の小幅範囲でのみ固着させていることを特徴としている。
【００１３】
ベースシート及び短幅シートの材質としては、シート表面に塵埃を効率よく捕捉し得るものが採用される。尚、この種の掃除用シート材としては、一般に不織布が多用されているが、本願でもベースシート及び短幅シートに不織布を使用することができる。又、本願の各シートとして不織布を使用する場合、その不織布繊維の種類、不織布の製法、不織布シートの厚さ等は、適宜のものを採用できる。
【００１４】
この種の掃除用シートは、手持ち式掃除具のシート取付台に取付けて使用されるが、シート取付台の大きさは、長辺長さが２５cm、短辺長さが１０cm程度のものが多い。又、シート取付台の上面には、シート片の一部を係止するための係止部（４箇所）が形成されている。
【００１５】
そして、この種の掃除用シートは、シート取付台の底面全面を被覆するとともに、シート取付台の長辺部両側縁の上面まで包み込んだ状態で装着されるが、本願の掃除用シートのベースシートもシート取付台の長辺部前後各側縁の上面まで包み込み得る大きさに形成するとよい。即ち、該ベースシートは、シート取付台の底面の面積に加えて、シート取付台の前後各側縁の上面を包み込む延出部をそれぞれ一体に形成するとよい。
【００１６】
短幅シートの大きさは、ベースシートの長辺長さ（左右幅）と同幅で、シート取付台の短辺長さ（前後幅）よりかなり短幅のものを使用する。又、この請求項１では、短幅シートは、ベースシートの片面に一枚だけ使用したものでもよいし複数枚重合させたものでもよい。尚、１枚だけの短幅シートを使用する場合には、該短幅シートの短辺長さとして、４〜７cm程度のものが適当である。
【００１７】
そして、本願請求項１の掃除用シートでは、ベースシートと短幅シートとを、短幅シートの短幅方向中央部の小幅範囲（例えば１cm程度の幅）のみを固着させているが、このベースシートと短幅シートとの固着は、適宜の固着方法（例えば、糸による縫合、接着剤による接着、以下に述べる請求項３の熱又は高周波接着等）を採用できる。このように、ベースシートと短幅シートとを小幅範囲でのみ固着させると、短幅シートの短幅方向の両片（前後両片）は、それぞれベースシートに対して前後方向のかなりの幅づつ非接着状態となっており、該各非接着シート部とベースシートとの間にそれぞれ微小隙間が形成されている。又、短幅シートにおける非接着シート部は、床面との摩擦力で比較的容易に捲れて裏返しになるが、床面から離れると自己弾性力によって元の姿勢（ベースシート下面に近接する位置）に復帰するようになっている。
【００１８】
この請求項１の掃除用シートは、短幅シートが下面側に現れる状態で、掃除具のシート取付台の底面を被覆するようにして取付けられる。このとき、ベースシートの前後各延出部をシート取付台の前後上面に折返して、その各折返し片の一部をシート取付台上面の係止部に係止させておく。このように、掃除用シートの取付状態では、シート取付台の下面側に短幅シートとベースシートからなる複数枚の重合シートがあり、且つ短幅シートの前後両片（非接着シート部）とベースシート間にそれぞれ微小隙間が形成されている。
【００１９】
そして、掃除具の柄を持って掃除用シートの底面で床面上を払拭すると、該掃除用シート（ベースシートと短幅シート）の床接触面に床面上の塵埃を付着させることができる。そのとき、その塵埃の一部が短幅シートの非接着シート部とベースシート間の隙間内に侵入し、その侵入した塵埃を該隙間内に収容した状態で保持することができる。
【００２０】
又、絨毯やカーペットのように摩擦力の大きい面を払拭する場合には、掃除用シートの下面が該払拭面上を摺動するときに、進行側の短幅シートの非接着シート部が捲れて裏返しになり易く、該短幅シートの裏返し面及びベースシートにおける露出した面（短幅シートで被覆されていた部分）にも塵埃が付着するようになる。そして、シート取付台（掃除用シート）を払拭面から持ち上げると、捲れていた短幅シートの非接着シート部が自己弾性力により元の姿勢（ベースシート下面に近接する位置）に復帰し、その復帰した非接着シート部とベースシートとの間で塵埃を挟んだ状態で保持できるようになる。又、この種の掃除用シート付き掃除具は、押し引き両方向に操作されるが、その押し引き各操作時に各進行側の短幅シートの非接着シート部がそれぞれ上記同様の塵埃挟持機能を発揮する。
【００２１】
尚、掃除用シート（ベースシート及び短幅シート）の露出面に付着している塵埃は、掃除具を振動させたり衝撃を与えたりすると一部がシート面から剥落することがあるが、ベースシートと短幅シートの非接着シート部の間に挟まれた塵埃は、振動や衝撃があっても容易に落下しない。
【００２２】
本願請求項２の発明
本願請求項２の発明は、上記請求項１の掃除用シートにおいて、短幅シートは、短幅方向の幅が異なる複数枚の異幅シートを使用し、該各異幅シートをベースシートに対して幅の短い異幅シートが順次表面側になる状態で重合させていることを特徴としている。
【００２３】
この請求項２の掃除用シートでは、短幅シートとして順次短幅方向の幅が異なる複数枚の異幅シートを重合させたものを使用しているが、該異幅シートの枚数は、ベースシートの片面に２〜３枚程度が適当である。そして、各異幅シートは、ベースシートに対して幅の短い異幅シートが順次表面側になる状態で重合させ、全シート（ベースシート及び各異幅シート）をシート幅方向の中央部の小幅範囲でのみ固着させている。
【００２４】
このようにすると、最外側の異幅シートの非接着シート部と外から２番目の異幅シートとの間に微小隙間ができ、又、外から第２番目の異幅シートの非接着シート部と次順のシート（第３番目の異幅シートがある場合には該第３番目異幅シート、異幅シートが第２番目までしかない場合はベースシート）との間にも微小隙間ができる。
【００２５】
従って、この請求項２の掃除用シートでは、塵埃を挟持できるシート間の微小隙間の個数を多くできる。
【００２６】
本願請求項３の発明
本願請求項３の発明は、上記請求項１又は２の掃除用シートにおいて、ベースシートと短幅シートは、熱溶融又は高周波溶融する繊維製のものを使用し、該ベースシートと短幅シートとを熱又は高周波接着によって固着させていることを特徴としている。尚、熱溶融又は高周波溶融する繊維製のシートの代表例としては、不織布が挙げられる。
【００２７】
この請求項３の掃除用シートのように、ベースシートと短幅シートの固着手段として、熱又は高周波接着させるようにしたものでは、この掃除用シートの製造段階において各シートを比較的簡単に固着させることができる。尚、この場合も、ベースシートと短幅シートとは、シート幅方向の中央部の小幅範囲でのみ熱又は高周波接着させる。
【００２８】
本願請求項４の発明
本願請求項４の発明は、上記請求項１〜３の掃除用シートにおいて、短幅シートは、ベースシートの表裏各面にそれぞれ固着させていることを特徴としている。
【００２９】
この請求項４の掃除用シートのように、短幅シートをベースシートの表裏各面にそれぞれ固着させたものでは、掃除用シートの表裏両面にシート間で塵埃を挟持する機能を有しており、掃除用シートを裏返して使用しても塵埃挟持機能が発揮できる。
【発明の効果】
【００３０】
本願請求項１の発明の効果
本願請求項１の発明の掃除用シートは、ベースシートと短幅シートとを短幅シートの短幅方向中央部の小幅範囲でのみ固着させて構成されているので、短幅シートの短幅方向の両片（前後両片）がベースシートに対してかなりの幅づつ非接着状態となっており、該各非接着シート部とベースシート下面の間にそれぞれ微小隙間が形成されている。
【００３１】
そして、この掃除用シートを掃除具のシート取付台に取付けて使用すると、払拭される塵埃の一部を短幅シートの非接着シート部とベースシート間の隙間内で挟持でき、その挟持した塵埃を確実に保持できるという効果がある。又、このようにベースシートと短幅シートを有したものでは、塵埃を付着させ得るシート表面積が広くなり、塵埃を多量に付着させることができるという効果もある。
【００３２】
本願請求項２の発明の効果
本願請求項２の発明の掃除用シートでは、短幅シートとして短幅方向の幅が異なる複数枚の異幅シートを使用し、各異幅シートをベースシートに対して幅の短い異幅シートが順次表面側になる状態で重合させている。
【００３３】
従って、この請求項２の掃除用シートでは、塵埃を挟持できるシート間の微小隙間の個数を多くできるので、上記請求項１の効果に加えて、両シート間での塵埃挟持量を増大させることができるという効果がある。
【００３４】
本願請求項３の発明の効果
本願請求項３の発明の掃除用シートでは、ベースシートと短幅シートに、熱溶融又は高周波溶融する繊維製のものを使用し、該ベースシートと短幅シートとを熱又は高周波接着によって固着させている。このように、ベースシートと短幅シートとを熱又は高周波接着によって固着させたものでは、両シートの固着を製造段階において比較的簡単に行える。
【００３５】
従って、この請求項３の掃除用シートでは、上記請求項１又は２の効果に加えて、短幅シート付きの掃除用シートてあっても簡単に製造できるという効果がある。
【００３６】
本願請求項４の発明の効果
本願請求項４の発明の掃除用シートでは、短幅シートをベースシートの表裏各面にそれぞれ固着させている。このようにすると、掃除用シートを裏返して使用しても塵埃挟持機能が低下しない。
【００３７】
従って、この請求項４の掃除用シートでは、上記請求項１〜３の効果に加えて、掃除用シートの表裏両面を塵埃保持機能の高い状態で使用できるという効果がある。
【実施例】
【００３８】
図１〜図６を参照して本願実施例の掃除用シートを説明すると、この実施例の掃除用シートは、図１、図３〜図５に示すように手持ち式の掃除具５０のシート取付台５１に取付けて使用するものである。
【００３９】
この実施例で使用する掃除具５０は、図１に示すように矩形板状のシート取付台５１の上面中央部に柄５２を前後・左右に傾動自在に取付けて構成されている。シート取付台５１は、この実施例では長辺長さＬが２５cm、短辺長さＭが１０cm、厚さが２cm程度の大きさのものを採用している。又、シート取付台５１の上面には、シート片の一部を係止するためのスリット状の係止部５３（４箇所）が形成されている。
【００４０】
この実施例の掃除用シートＳは、図１及び図２に示すように、シート取付台５１の底面全面を被覆し得る大面積のベースシート１と、シート取付台５１の短辺長さＭより短い幅の短幅シート２とを有している。短幅シート２は、この実施例では、短幅方向の幅が異なる２枚の異幅シート（第１短幅シート２１と第２短幅シート２２）を使用し、且つ２枚１組の異幅シート２１，２２をベースシート１の表裏両面にそれぞれ取付けている。従って、この実施例の掃除用シートＳでは、合計５枚のシート材を使用している。
【００４１】
ベースシート１及び短幅シート２（第１短幅シート２１と第２短幅シート２２）の各シート材（合計５枚）には、それぞれ熱溶融又は高周波溶融する性質の繊維製の不織布が採用されている。又、この各シート材１，２１，２２は、１〜２mm程度の厚みがあって比較的「腰」（弾性復帰力）があり、且つ表面に塵埃（微小ゴミやホコリ）を付着させ易い性状を有している。
【００４２】
ベースシート１は、長辺長さＬ1が２９〜３０cmで、短辺長さＭ1が２１〜２２cm程度の大きさを有している。ベースシート１の短幅方向の両端部には、この掃除用シートＳをート取付台５１に取付けるための延出部１１，１１が一体形成されている。この各延出部１１，１１は、図１及び図２に鎖線図示（符号１１′）するように上側に折り返してシート取付台５１の前後各側縁部上面を包み込み、該延出部１１，１１の一部（各２箇所）をシート取付台上面の各係止部５３，５３に係入させることで、掃除用シートＳをシート取付台５１に取付け得るようになっている。
【００４３】
第１短幅シート２１は、長辺長さがベースシート１の長辺長さＬ1と同じで、短辺長さＷ1が６〜７cmの大きさを有している。第２短幅シート２２は、長辺長さがベースシート１の長辺長さＬ1と同じで、短辺長さＷ2が４cm程度の大きさを有している。
【００４４】
尚、ベースシート１、第１短幅シート２１、第２短幅シート２２の各大きさは、使用される掃除具５０のシート取付台５１の大きさによって適宜調整される。
【００４５】
そして、この実施例の掃除用シートＳは、図１及び図２に示すように、ベースシート１の表裏各面における短幅方向中央部に、それぞれ第１短幅シート２１が内側で第２短幅シート２２が外側になる状態で重合させ、各シートの短幅方向中央部の小幅範囲Ｙ（Ｙ＝１cm程度）に長幅方向の全長に亘って熱又は高周波接着（接着部３，３）させて、合計５枚のシート材を固着（一体化）させている。尚、以下の説明では、熱又は高周波による接着部３，３を単に熱接着部という。
【００４６】
この熱接着部３，３は、それぞれ１mm幅程度のものを小間隔Ｙ（１cm程度）をもって２本形成している。尚、熱接着部３は、１本でもよいが、この実施例のように２本形成すれば各シートの固着状態が安定する。
【００４７】
このように、各シート（合計５枚）を、短幅方向中央部の小幅範囲Ｙでのみ固着すると、上下各第１短幅シート２１，２１における熱接着部３，３より外側がそれぞれ幅Ｘ1（２.５〜３cm幅）づつ非接着シート部２１ａ，２１ａとなり、上下各第２短幅シート２２，２２における熱接着部３，３より外側がそれぞれ幅Ｘ2（約１.５cm幅）づつ非接着シート部２２ａ，２２ａとなる。この各第１短幅シート２１，２１と各第２短幅シート２２，２２のそれぞれ非接着シート部２１ａ，２２ａは、各熱接着部３，３が圧縮状態で固着されていることにより、自然状態で内側シートに対してそれぞれ微小角度の隙間Ｔ1，Ｔ2が形成されるようになる。即ち、第１短幅シート２１の各非接着シート部２１ａ，２１ａとベースシート１との間には、微小隙間Ｔ1が形成されており、第２短幅シート２２の各非接着シート部２２ａ，２２ａと第１短幅シート２１との間には、微小隙間Ｔ2が形成されている。
【００４８】
又、第１短幅シート２１及び第２短幅シート２２における各非接着シート部２１ａ，２２ａは、適度の可撓性及び自己弾性力を有しており、図４に示すように床面払拭時に床面Ｆとの摩擦力が大きいと裏返しに捲れるとともに、床面Ｆから離れると図５に示すように元の状態に弾性復帰するようになっている。
【００４９】
図１及び図２の掃除用シートＳは、図６に示すようにして製造される。この図６の製造例では、ベースシート１用のベースシートロール１Ａと、各第１短幅シート２１，２１用の２つの第１短幅シートロール２１Ａ，２１Ａと、各第２短幅シート２２，２２用の２つの第２短幅シートロール２２Ａ，２２Ａからそれぞれ連続シート１Ｂ，２１Ｂ，２２Ｂを繰り出させ、ベースシート用の連続シート１Ｂの上下各面の幅方向中央部に、１つの第１短幅連続シート２１Ｂと１つの第２短幅連続シート２２Ｂとを１組とする各組の短幅連続シート２１Ｂ，２２Ｂを重合させる（合計５枚重ねとなる）。尚、この場合、ベースシート用の連続シート１Ｂの上・下面に、短い幅の短幅連続シート２２Ｂがそれぞれ外側になるようにして重合させる。次に、その重合連続シートを走行させながら、該重合連続シートの幅方向中央部を熱接着装置４（小間隔をもって２枚の薄形ヒートロールが上下一対配置されている）で順次熱接着させていき（熱接着部３，３が形成される）、その後、カッター５で順次製品長さづつ切断すれば、この実施例の掃除用シートＳを順次連続して製造できる。このように、各シート１，２１，２２（合計５枚）を固着させるのに、各連続シート１Ｂ，２１Ｂ，２２Ｂを重合させた状態で、熱接着装置４で熱接着するようにすると、その各シートの固着加工（熱接着部３の加工）が簡単に行え、掃除用シートＳの製造が簡単となる。
【００５０】
図１及び図２に示す掃除用シートＳは、図３に示すようにシート取付台５１の底面及び各側縁部上面を被覆するようにして取付けられる。この掃除用シートＳの取付状態では、下面側の第１短幅シート２１及び第２短幅シート２２がシート取付台５１下面の短幅方向中央部において幅差をもって露出している。
【００５１】
そして、この掃除用シート付きの掃除具５０を使用するには、掃除用シートＳの下面を払拭すべき床面（図４の符号Ｆ）に接触させた状態で、柄５２を持って押し操作（前進）又は引き操作（後退）することで床面上を払拭する。すると、掃除用シートＳの床接触面（ベースシート１と第１短幅シート２１と第２短幅シート２２の各下面側露出面）に床面上の塵埃（図４、図５の符号Ｐ）を付着させることができる。そのとき、塵埃の一部が各非接着シート部２１ａ，２２ａとその上のシートとの間の隙間Ｔ1，Ｔ2内に侵入し、該一部の塵埃を該隙間内に収容した状態で保持することができる。
【００５２】
又、絨毯やカーペットのように摩擦力の大きい面を払拭する場合には、図４に示すように、掃除用シートＳの下面が該払拭面Ｆ上を摺動するときに、第１短幅シート２１及び第２短幅シート２２の進行側（矢印Ａ方向）の非接着シート部２１ａ，２２ａが捲れて裏返しになり易い。このとき、第１及び第２の両短幅シートの各非接着シート部２１ａ，２２ａが同時に捲れることもあるし、第２短幅シートの非接着シート部２２ａのみが捲れることもある。そして、例えば図４のように、両短幅シート２１，２２の各非接着シート部２１ａ，２２ａが共に裏返された場合には、第１短幅シート２１の非接着シート部２１ａの裏返し面及びベースシート１における露出した面（第１短幅シート２１で被覆されていた部分）にも塵埃Ｐが付着するようになる。又、図４の状態で、押し操作（矢印Ａ側に前進移動する）から引き操作（矢印Ａとは反対側に後退移動する）に変更すると、払拭面Ｆとの摩擦力により、裏返されていた矢印Ａ側の各非接着シート部２１ａ，２２ａが元の展張状態に戻る一方、後退移動側の各非接着シート部２１ａ，２２ａが捲れて裏返され、上記と同様に掃除用シート下面の露出面に塵埃Ｐが付着するようになる。
【００５３】
そして、シート取付台５１（掃除用シートＳ）を払拭面Ｆから持ち上げると、捲れていた各短幅シート２１，２２の非接着シート部２１ａ，２２ａが自己弾性力により元の姿勢（図５の姿勢）に復帰し、その復帰した各非接着シート部２１ａ，２２ａとその上のシート（ベースシート１又は第１短幅シート２１）との間で塵埃Ｐを挟んだ状態で保持できるようになる。このように、上下のシート間の隙間Ｔ1，Ｔ2内に挟まれた塵埃Ｐは、付着しにくい性状のものであったり、比較的大きいものであったり、さにら振動や衝撃があっても容易に落下することがなく、塵埃捕捉状態が確実となる。又、払拭後の掃除用シートＳには、図５に示すように上記各隙間Ｔ1，Ｔ2以外の下面露出部にも塵埃Ｐが付着しているが、このように短幅シート（第１短幅シート２１、第２短幅シート２２）に各非接着シート部２１ａ，２２ａを設けていると、塵埃Ｐを付着させ得るシート表面積が広くなって、塵埃捕捉量を多くできるようになる。
【００５４】
又、掃除用シートＳの片面が使用により汚れると、該掃除用シートＳをシート取付台５１から一旦取外し、裏返しにして再度シート取付台５１に取付けると、短幅シート２（第１短幅シート２１と第２短幅シート２２）付きの新しいシート面が現れる。従って、１枚の掃除用シートＳで、塵埃保持機能の高い状態で２回使用できる。
【００５５】
尚、本願の他の実施例として、次の構成を採用することができる。
(1) 短幅シート２（第１短幅シート２１と第２短幅シート２２の２枚組）は、ベースシート１の片面だけでもよい。
(2) 短幅シート２は、ベースシート１の片側に１枚づつでもよく、又１枚の短幅シート２をベースシート１の片面だけ取付けたものでもよい。
(3) 各シートの固着手段として、熱接着に代えて接着剤による接着や、糸による縫合を採用してもよい。
(4) 各シート材として、不織布に代えて他のシート材（例えばパルプシートやスポンジ状シート等）を採用してもよい。
【図面の簡単な説明】
【００５６】
【図１】本願実施例の掃除用シートと掃除具の斜視図である。
【図２】図１のII−II拡大断面図である。
【図３】図２の掃除用シートをシート取付台に取付けた状態の断面図である。
【図４】図３の掃除用シート付き掃除具の使用状態を示す断面図である。
【図５】図４の掃除用シート付き掃除具の払拭終了状態の断面図である。
【図６】図１及び図２の掃除用シートの製造方法説明図である。
【符号の説明】
【００５７】
１はベースシート、２は短幅シート、３は固着部（熱接着部）、２１は異幅シート（第１短幅シート）、２１ａは第１短幅シートの非接着シート部、２２は異幅シート（第２短幅シート）、２２ａは第２短幅シートの非接着シート部、５０は掃除具、５１はシート取付台、Ｓは掃除用シートである。
【図１】
2005318908.tif 000003
【図２】
2005318908.tif 000004
【図３】
2005318908.tif 000005
【図４】
2005318908.tif 000006
【図５】
2005318908.tif 000007
【図６】
2005318908.tif 000008